(57)【要約】【課題】ホッパの昇降位置や積畳された被記録媒体の数の多少に関係なく、常に被記録媒体を安定した姿勢で保持でき、エッジガイドの位置ずれに伴う被記録媒体の給送不良を回避する。【解決手段】本発明の給送用カセット１は、多数枚の被記録媒体Ｐを積畳された状態で収容し得るカセット本体３８と、カセット本体３８内に収容された被記録媒体Ｐの左右の側縁をガイドするエッジガイド１５Ａ，１５Ｂと、前記カセット本体内に収容された被記録媒体を押し上げるホッパ１６とを備え、前記エッジガイドは前記カセット本体を構成する上面４０の内壁面に下方に向けて突出するように設けられている。【選択図】図１１
2008087931.tif 000002
【特許請求の範囲】
【請求項１】
多数枚の被記録媒体を積畳された状態で収容し得るカセット本体と、
カセット本体内に収容された被記録媒体の左右の側縁をガイドするエッジガイドと、
前記カセット本体内に収容された被記録媒体を押し上げるホッパとを備え、
前記エッジガイドは前記カセット本体を構成する上面の内壁面に下方に向けて突出するように設けられていることを特徴とする給送用カセット。
【請求項２】
上面、前端面、後端面、左側面及び右側面が一体成形により形成され、底面は開放され、多数枚の被記録媒体を収容し得るカセット本体と、
前記底面を成す構成部材として前記カセット本体に設けられて当該カセット本体内に収容される被記録媒体を支えると共に、後端を揺動支点にして揺動可能で、前記揺動により前記被記録媒体を下から押し上げるホッパと、
前記カセット本体の前端面側の前記上面に設けられた開口部と、
前記カセット本体の前記上面の内壁面に下方に向けて突出され、被記録媒体の左右の側縁をガイドするエッジガイドと、を備える給送用カセット。
【請求項３】
請求項１又は２に記載の給送用カセットおいて、前記エッジガイドは当該カセット本体内に収容される被記録媒体のサイズに合わせて固定状態で設けられていることを特徴とする給送用カセット。
【請求項４】
請求項３に記載の給送用カセットにおいて、前記ホッパは前記エッジガイドと干渉することなく、当該カセット本体内に収容される被記録媒体のサイズに対応した形状に形成されていることを特徴とする給送用カセット。
【請求項５】
請求項３又は４に記載の給送用カセットにおいて、前記ホッパの載置面は前記エッジガイドのガイド面で挟まれる領域に位置するように構成されていることを特徴とする給送用カセット。
【請求項６】
請求項３〜５のいずれか１項に記載の給送用カセットにおいて、前記エッジガイドは前記カセット本体と一体に成形されており、該エッジガイドの突出端は前記カセット本体の開放された底面と面一に構成されていることを特徴とする給送用カセット。
【請求項７】
多数枚の被記録媒体を積畳された状態で収容し得るカセット本体と、該カセット本体内に収容された被記録媒体の左右の側縁をガイドするエッジガイドと、前記カセット本体内に収容された被記録媒体を給送用ローラに向けて押し上げるホッパとを備えた給送用カセットが装着可能な記録装置であって、
前記給送用カセットは請求項１〜６のいずれか１項に記載した給送用カセットであることを特徴とする記録装置。
【請求項８】
多数枚の被液体噴射材を積畳された状態で収容し得るカセット本体と、該カセット本体内に収容された被液体噴射材の左右の側縁をガイドするエッジガイドと、前記カセット本体内に収容された被液体噴射材を給送用ローラに向けて押し上げるホッパとを備えた給送用カセットが装着可能な液体噴射装置であって、
前記エッジガイドは前記カセット本体における閉塞された上面の内壁面に対して下方に向けて突出するように設けられていることを特徴とする液体噴射装置。
【発明の詳細な説明】
【技術分野】
【０００１】
本発明は、多数枚の被記録媒体を積畳された状態で収容し得るカセット本体と、該カセット本体内に収容された被記録媒体の左右の側縁をガイドするエッジガイドと、前記カセット本体内に収容された被記録媒体を押し上げるホッパとを備えた給送用カセット及び該給送用カセットが装着可能な記録装置に関する。
【０００２】
更に本発明は、インク等の液体をそのヘッドから吐出すなわち噴射して被記録媒体すなわち被液体噴射媒体に液体を付着するインクジェット式記録装置などの液体噴射装置及び該液体噴射装置に装着可能な給送用カセットに関するものである。
【０００３】
ここで液体噴射装置とは、インクジェット式記録ヘッドが用いられ、該記録ヘッドからインクを吐出して被記録媒体に記録を行うプリンタ、プロッタ、複写機及びファクシミリ等の記録装置に限らず、インクに代えてその用途に対応する液体を前記記録ヘッドに相当する液体噴射ヘッドから被記録媒体に相当する被液体噴射媒体に噴射して、前記液体を前記被液体噴射媒体に付着させる装置を含む意味で用いる。
【０００４】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００５】
従来の給送用カセットは、下記の特許文献１に示すように、底面と前端面、後端面及び左右の側面とが閉塞され、上面が開放されたカセット本体と、当該カセット本体の開放された上面を塞ぐように設けられる上蓋とを備えていた。また、上記カセット本体の底面には比較的口径の大きな開口部が設けられており、該開口部内に下方からホッパの一部が進入することによって上記カセット本体内に収容された被記録媒体を給送用ローラに向けて押し上げて給送できるようになっている。また、上記カセット本体の底面上には種々の大きさの被記録媒体に対応できるようにカセット本体の幅方向及び長さ方向にスライドし得る可動式のエッジガイドが設けられていた。
【０００６】
そして、上記エッジガイドの位置調整はユーザサイドで行われ、ユーザは被記録媒体の補充や交換のその都度、エッジガイドのロックを外して拡大方向あるいは縮小方向にエッジガイドを移動させて新たに補充ないし交換した被記録媒体の左右の側縁及び後端縁にエッジガイドを沿わせた状態にしてロックする。しかし、上記エッジガイドの位置調整は、ユーザによって精度にバラ付きが生ずるため、エッジガイドの位置が安定せず、良好な被記録媒体の給送ができない虞がある。
【０００７】
また従来の給送用カセットの場合には、構造上、上蓋の内壁面とエッジガイドの上端面との間に隙間ができてしまう。従って、ホッパによって上方に押し上げられた被記録媒体が当該隙間に達すると、エッジガイドのガイド面から外れてしまうため、被記録媒体の姿勢が不安定になって給送時にスキュー（被記録媒体の傾き）が起こり易くなる。
【特許文献１】特開昭６２−６５８３９号公報
【発明の開示】
【発明が解決しようとする課題】
【０００８】
本発明は、ホッパの昇降位置や積畳された被記録媒体の数の多少に関係なく、被記録媒体を安定した姿勢で保持でき、エッジガイドの位置ずれに伴う被記録媒体の給送不良を回避し得る取り扱いが容易な給送用カセット及び該給送用カセットが装着可能な記録装置等を提供することを課題とするものである。
【課題を解決するための手段】
【０００９】
上記課題を解決するために本発明の第１の態様に係る給送用カセットは、多数枚の被記録媒体を積畳された状態で収容し得るカセット本体と、カセット本体内に収容された被記録媒体の左右の側縁をガイドするエッジガイドと、前記カセット本体内に収容された被記録媒体を押し上げるホッパとを備え、前記エッジガイドは前記カセット本体を構成する上面の内壁面に下方に向けて突出するように設けられていることを特徴とするものである。
【００１０】
本発明の第１の態様によれば、エッジガイドがカセット本体の上面側に設けられているから従来給送用カセットの上蓋の内壁面とエッジガイドの上端面との間に存在していた隙間は存在しない。従って、ホッパによって被記録媒体が上方に押し上げられた状態でも当該被記録媒体の左右の側縁はエッジガイドによって保持されているから被記録媒体の姿勢が安定し、良好な被記録媒体の給送が実行される。
【００１１】
本発明の第２の態様に係る給送用カセットは、上面、前端面、後端面、左側面及び右側面が一体成形により形成され、底面は開放され、多数枚の被記録媒体を収容し得るカセット本体と、前記底面を成す構成部材として前記カセット本体に設けられて当該カセット本体内に収容される被記録媒体を支えると共に、後端を揺動支点にして揺動可能で、前記揺動により前記被記録媒体を下から押し上げるホッパと、前記カセット本体の前端面側の前記上面に設けられた開口部と、前記カセット本体の前記上面の内壁面に下方に向けて突出され、被記録媒体の左右の側縁をガイドするエッジガイドとを備えるものである。
【００１２】
本発明の第２の態様によれば、第１の態様と同様の作用効果が得られる他、当該ホッパの前記揺動可能な構造により、被記録媒体は該ホッパ上に置かれた平坦姿勢のまま往復動（上下動）するため、前記エッジガイドにガイドされて一層その姿勢が安定化し、以て一層良好な給送を実現することができる。
【００１３】
本発明の第３の態様に係る給送用カセットは、前記第１又は第２の態様において、前記エッジガイドは当該カセット本体内に収容される被記録媒体のサイズに合わせて固定状態で設定されていることを特徴とするものである。  
本発明の第３の態様によれば、使用する被記録媒体のサイズに合わせてエッジガイドの位置調整をする手間が省略でき、当該位置調整によって従来、生じていたエッジガイドの位置ずれが生じなくなるから被記録媒体の給送状態が安定し、良好となる。
【００１４】
本発明の第４の態様に係る給送用カセットは、前記第３の態様において、前記ホッパは前記エッジガイドと干渉することなく、当該カセット本体内に収容される被記録媒体のサイズに対応した形状に形成されていることを特徴とするものである。  
本発明の第４の態様によれば、ホッパの昇降動作にエッジガイドが邪魔にならないから円滑なホッパの昇降動作が実行される。またカセット本体にセットされた被記録媒体の下面のすべてがホッパによって支持されているから被記録媒体は安定した姿勢を保って給送用ローラに向けて押し付けられ、良好な給送が実現される。
【００１５】
本発明の第５の態様に係る給送用カセットは、前記第３又は第４の態様において、前記ホッパの載置面は前記エッジガイドのガイド面で挟まれる領域に位置するように構成されていることを特徴とするものである。  
本発明の第５の態様によれば、カセット本体内に積畳されている被記録媒体の左右の側縁は常にエッジガイドのガイド面によって保持されているから、被記録媒体の姿勢はホッパの昇降位置に因ることなく常に安定し、スキューの生じない良好な被記録媒体の給送が実現される。
【００１６】
本発明の第６の態様に係る給送用カセットは、前記第３〜第５のいずれか１つの態様において、前記エッジガイドは前記カセット本体と一体に成形されており、該エッジガイドの突出端は前記カセット本体の開放された底面と面一に構成されていることを特徴とするものである。ここで、「エッジガイドの突出端は前記カセット本体の開放された底面と面一に構成されている」における「面一」とは、前記ホッパ等の底面をなす構成部材の被記録材が載置される面と厳密に面一という意味ではなく、積畳されている最上位から最下位に位置する総ての被記録材に対して互いに対向する左右のエッジガイド間の領域内で円滑に押し上げることができるようにする観点から設定され、厳密な一致を必要とはしない「面一」の意味で使われている。
【００１７】
本発明の第６の態様によれば、部品点数が少なくなり、組立工数を少なくできるから給送用カセットの部品コストと組立コストを削減することができる。また、エッジガイドがカセット本体を補強する補強リブのような作用を奏するからカセット本体の機械的強度を向上させることができる。また、エッジガイドの突出端をカセット本体の底面と面一にすることにより、外部からの埃の侵入を少なくし、給送用カセットの美観の向上にも寄与し得る。
【００１８】
本発明の第７の態様に係る記録装置は、多数枚の被記録媒体を積畳された状態で収容し得るカセット本体と、該カセット本体内に収容された被記録媒体の左右の側縁をガイドするエッジガイドと、前記カセット本体内に収容された被記録媒体を給送用ローラに向けて押し上げるホッパとを備えた給送用カセットが装着可能な記録装置であって、前記給送用カセットは前記第１〜第５のいずれか１つの態様の給送用カセットであることを特徴とするものである。
【００１９】
本発明の第７の態様によれば、ホッパの昇降位置や積畳された被記録媒体の数の多少に関係なく、常に被記録媒体を安定した姿勢で保持でき、エッジガイドの位置ずれに伴う被記録媒体の給送不良を回避し得る取り扱いが容易な給送用カセットが装着可能な記録装置を提供することができる。
【００２０】
本発明の第８の態様に係る液体噴射装置は、多数枚の被液体噴射材を積畳された状態で収容し得るカセット本体と、該カセット本体内に収容された被液体噴射材の左右の側縁をガイドするエッジガイドと、前記カセット本体内に収容された被液体噴射材を給送用ローラに向けて押し上げるホッパとを備えた給送用カセットが装着可能な液体噴射装置であって、前記エッジガイドは前記カセット本体における閉塞された上面の内壁面に対して下方に向けて突出するように設けられていることを特徴とするものである。
【発明を実施するための最良の形態】
【００２１】
以下、本願発明に係る給送用カセット及び該給送用カセットが装着可能な液体噴射装置の一例である記録装置について説明する。最初に本願発明の液体噴射装置、そしてその一例である記録装置を実施するための最良の形態としてインクジェットプリンタ１００を採り上げて、その全体構成の概略を図面に基づいて説明する。
【００２２】
図１はインクジェットプリンタの外観を示す斜視図である。図示のインクジェットプリンタ１００は、持ち運びが可能な比較的コンパクトなタイプのインクジェットプリンタである。そして、図示のインクジェットプリンタ１００には、ホッパを有する給装装置は設けられておらず、本来、給送装置が設けられる液体噴射装置本体、そして記録装置本体の一例であるプリンタ本体３の後部寄りの上部開口５には、給送用カセット１が前下がり傾斜姿勢で着脱自在に装着できるようになっている。
【００２３】
そして、給送用カセット１内に収容されている被液体噴射材の一例である被記録媒体（以下単に用紙ともいう）Ｐは、ホッパ１６（図４）の押し上げ動作によって上方に押し上げられ、そのカセット本体３８の前端面側の前記上面に設けられた開口部４１（図２、図４）に臨んで位置する給送用ローラ１４との協働すなわち挟圧送り作用によって最上位の用紙Ｐから順次引き出されて給送されるようになっている。尚、給送用カセット１の具体的構成については後述する。
【００２４】
給送用ローラ１４の下流には、上下の搬送用従動ローラと搬送用駆動ローラの対によって構成されている図示しない公知の搬送用ローラが設けられており、該搬送用ローラによって搬送された用紙Ｐは、用紙搬送方向（副走査方向でもある）下流に位置する記録ポジションに導かれる。そして、記録ポジションの上方には用紙Ｐに液体の一例であるインクを吐出して直接記録を実行する液体噴射ヘッドの一例である図示しない記録ヘッドが位置している。一方、記録ポジションの下方には用紙Ｐの下面を支えている図示しないプラテンが設けられており、該プラテンは記録品質に重要に関係する被記録媒体と記録ヘッド間のギャップを規定する役割を担っている。
【００２５】
記録ヘッドは、上記副走査方向と直交する主走査方向に往復動する図示しないキャリッジの下面に搭載されており、該キャリッジは主走査方向に架け渡された図示しないキャリッジガイド軸によって案内され、同じく主走査方向に張設された図示しない無端ベルトからの駆動力を受けて往復動し得るように構成されている。また、記録ポジションの用紙搬送方向の下流には、上下の排出用従動ローラと排出用駆動ローラの対によって構成されている図示しない排出用ローラが設けられている。そして、該排出用ローラによって排出された用紙Ｐは、図示しない被液体噴射媒体受け部の一例である排出用スタッカの載置面上に排出されて積畳されるようになっている。
【００２６】
［実施例］
次に、このようにして構成されるインクジェットプリンタ１００に対して装着される本発明の給送用カセット１について図面に基づいて具体的に説明する。
【００２７】
図２はシャッタ拡開時の給送用カセットを示す斜め前方からの斜視図、図３はシャッタ閉鎖時の給送用カセットを示す斜め前方からの斜視図である。図４はホッパ上昇時の給送用カセットを示す側断面図、図５はホッパ下降時の給送用カセットを示す側断面図である。図６は４×６インチサイズ用の給送用カセットにおけるカセット本体の裏面側を示す斜視図、図７は図６においてホッパを装着した状態の斜視図である。図８はＬ判サイズ用の給送用カセットにおけるカセット本体の裏面側を示す斜視図、図９は図８においてホッパを装着した状態の斜視図である。図１０はガードサイズ用の給送用カセットにおけるカセット本体の裏面側を示す斜視図、図１１は図１０においてホッパを装着した状態の斜視図、図１２は図１１においてシャッタを取り付けた給送用カセットを示すホッパ上昇時の側断面図である。また図１３は葉書サイズ用の給送用カセットにおけるカセット本体の裏面側を示す斜視図、図１４は図１３においてホッパを装着した状態の斜視図である。
【００２８】
本実施例の給送用カセット１は、図１に示すように、自動給送ユニット２に対して装着されることによって使用される。尚、図１は給送用カセット１を装着しつつある状態を示している。自動給送ユニット２は、プリンタ本体３の後部寄りの内部に設けられており、ホッパ１６との協働（挟圧送り作用）によって用紙Ｐを給送する給送用ローラ１４と、該給送用ローラ１４と一体に回転する回転軸１８と、該回転軸１８に回転を伝達する駆動手段であるモータ３１と、駆動伝達手段である歯車列３２と、これら諸部材を保持すると共に給送された用紙Ｐを用紙搬送経路に案内するユニットホルダ３３とを備えている。
【００２９】
また、上記回転軸１８の回転は、歯車列３２を介して図示しないホッパ作動軸の一端に取り付けられているホッパ作動カム３５と、戻しレバー７の図示しない回転軸に伝達されるようになっている。従って、給送用ローラ１４の回転と連動して所定のタイミングでホッパ１６が上下動し、所定のタイミングで戻しレバー７が作動して重送されてきた後続の用紙Ｐを給送用カセット１側に戻すようになっている。この他、ユニットホルダ３３には、重送されてきた用紙Ｐを記録の実行に使用する最上位の用紙Ｐと後続の用紙Ｐとに分離する図示しない分離手段と、上記ホッパ１６を給送用ローラ１４側に常時付勢している図示しない付勢部材（圧縮コイルバネ等）等が設けられている。
【００３０】
このような自動給送ユニット２のユニットホルダ３３における後部上方には、断面形状が略凹字形をしたカセットガイド３７が斜め後方に向けて立ち上げられており、該カセットガイド３７の内壁面に案内されて本発明の給送用カセット１が装着され、カセットガイド３７によって前下がり傾斜姿勢で保持されるようになっている。
【００３１】
本実施例の給送用カセット１は、図２乃至図７に示したように、一例としてハガキの場合で５０枚程度の用紙Ｐを積畳された状態で収容し得るカセット本体３８と、該カセット本体３８内に収容された用紙Ｐの左右の側縁及び後端縁をガイドするエッジガイド１５（図６）と、該カセット本体３８内に収容された用紙Ｐを給送用ローラ１４に向けて押し上げるホッパ１６と、上記カセット本体３８の前端面３９側の上面４０に開口している開口部４１を閉塞するシャッタ４２とを備えている。
【００３２】
カセット本体３８は、偏平な角箱様の容器であり、本実施例では、上面４０、前端面３９、後端面４３、左側面４４及び左側面４５が一体成形により形成され、底面４６は開放され、多数枚の用紙Ｐを収容し得る構造である。そして、本発明の特徴的構成の１つとして、上記カセット本体３８における上面４０の内壁面に対して下方に向けて突出するように３つのエッジガイド１５が設けられている。尚、以下の説明において、３つのエッジガイド１５を区別して説明する場合には、用紙Ｐの左側縁を保持するエッジガイドを１５Ａ、用紙Ｐの右側縁を保持するエッジガイドを１５Ｂ、用紙Ｐの後端縁を保持するエッジガイドを１５Ｃと記載する。エッジガイド１５Ｃは必ずしも設けられていなくてもよい。
【００３３】
カセット本体３８の左右の側面４４、４５における後端面４３寄りの下方のコーナ部付近には揺動穴４７、４７（図６、図７）が形成されており、これらの揺動穴４７、４７にはホッパ１６の揺動基端部４９に設けられている揺動軸５０が係合するようになっている（図４、図５、図７）。また、カセット本体３８の左右の側面４４、４５における前端面３９寄りの下方の位置には、カセットガイド３７の内壁面に形成されている図示しない係合凹部に係合する係合突起５４を先端部に有する弾性舌片５２（図６）が設けられている。
【００３４】
また、上記弾性舌片５２の上部には外方に突出するように係合ピン５６が設けられている。該係合ピン５６は、シャッタ４２の左右の側板５８、５９に形成されている途中で折れ曲がった長穴形状の係合溝６０に係合するようになっている。また、上記係合ピン５６が設けられているカセット本体３８の左右の側面４４、４５の内壁面側には、前上がり傾斜姿勢でガイド片６２（図６）が設けられている。ガイド片６２は、先端に円柱を横に倒した形状の案内頭部６４を備えたアーム状の弾性片によって構成されている。そして、シャッタ４２の覆板６５の左右の両端部において斜め下方に張り出すように設けられている弾性作用片６６（図３、図５）と協働して、上記ガイド片６２はシャッタ４２を閉鎖方向Ａに付勢する付勢手段となっている。
【００３５】
この他、カセット本体３８の左右の側面４４、４５の中間付近の高さには長手方向に沿うようにガイドリブ６９（図２）が設けられている。該ガイドリブ６９は、ユニットホルダ３３のカセットガイド３７の内側面に摺接し、給送用カセット１の着脱を円滑に行えるようにする部材である。また、カセット本体３８の上面４０における左右の側面４４、４５寄りの中間付近の位置には、カセット本体３８内の用紙Ｐの有無や残量を確認するための角穴状の窓部７０（図２）が設けられている。
エッジガイド１５は、本実施例では上記カセット本体３８と一体成形により形成されており、すべてのエッジガイド１５Ａ、１５Ｂ、１５Ｃの突出端は、カセット本体３８の開放された底面４６とほぼ面一になるように設定されている。また、エッジガイド１５は、カセット本体３８内に収容される用紙Ｐのサイズに合わせて配置されている。具体的には用紙Ｐが４×６インチサイズである時は、図６に示すように、カセット本体３８の左側面４４の内壁面自体がエッジガイド１５Ａ、カセット本体３８の右側面４５の内壁面自体がエッジガイド１５Ｂ、カセット本体３８の後端面４３の内壁面自体がエッジガイド１５Ｃになっている。
【００３６】
また、用紙ＰがＬ判サイズである時は、図８に示すように、カセット本体３８の左側面４４の少し内側にエッジガイド１５Ａ、カセット本体３８の右側面４５の少し内側にエッジガイド１５Ｂ、カセット本体３８の後端面４３からカセット本体３８の全長の５分の１程度内側の位置にエッジガイド１５Ｃが設けられている。
【００３７】
また、用紙Ｐがカードサイズである時は、図１０に示すように、カセット本体３８の左側面４４からカセット本体３８の幅寸法の４分の１程度内側の位置にエッジガイド１５Ａ、カセット本体３８の右側面４５からカセット本体３８の幅寸法の４分の１程度内側の位置にエッジガイド１５Ｂ、カセット本体３８の後端面４３からカセット本体３８の幅寸法の５分の２程度内側の位置にエッジガイド１５Ｃが設けられている。
【００３８】
また、用紙Ｐが葉書サイズである時は、図１３に示すように、カセット本体３８の左側面４４の内壁面自体がエッジガイド１５Ａ、カセット本体３８の右側面４５の内壁面自体がエッジガイド１５Ｂになっている。またカセット本体３８の後端面４３の少し内側の位置にエッジガイド１５Ｃが設けられている。このように本発明では、すべてのエッジガイド１５Ａ、１５Ｂ、１５Ｃがカセット本体３８に対して固定状態で設けられているから、精度が要求されるエッジガイド１５の位置調整は不要であり、エッジガイド１５の位置ずれによる用紙Ｐのスキュー等は生じない。
【００３９】
ホッパ１６は、図５と図７に示すように、上記カセット本体３８の開放された底面４６を塞ぐ平板状の部材である。ホッパ１６の揺動基端部４９には、上述のように揺動軸５０が設けられており、該揺動軸５０を揺動支点として、図５に示す待機姿勢と、図４に示す給送姿勢との間で揺動できるようになっている。また、カセット本体３８とホッパ１６との間には、給送時におけるホッパ１６の拡開方向への移動を防止するための係止構造の構成部材である係止爪７９（図５、図７）が設けられている。
【００４０】
また、ホッパ１６の揺動自由端７４側の中央部には、角穴状の開口７５（図７）が設けられている。該開口７５には図示しないホッパ作動軸の中間部に取り付けられている図示しない作動アーム先端の押上げ作用部の一部が嵌合し、押上げ作用部の他の一部が上記開口７５の周縁部下面に係止するようになっている。また、ホッパ１６の載置面は、ホッパ１６の昇降位置に関係なく、常に上記エッジガイド１５のガイド面と側面視でオーバーラップするように位置設定及び揺動角度θが設定されている。また、ホッパ１６は、上記エッジガイド１５と干渉することなく揺動できるように、当該カセット本体３８内に収容される用紙Ｐのサイズに対応した形状に形成されている。
【００４１】
具体的には、用紙Ｐが４×６インチサイズである時は、図７に示すように、カセット本体３８の開放された底面４６をすべて覆い隠すような大きさの矩形平板状のホッパ１６が使用される。尚、このホッパ１６を後述する他のホッパ１６と区別する場合にはホッパ１６Ａと記載する。同様に、Ｌ判サイズ用のカセット本体３８に対して適用されるホッパ１６を１６Ｂ、カードサイズ用のカセット本体３８に対して適用されるホッパ１６を１６Ｃ、葉書サイズ用のカセット本体３８に対して適用されるホッパ１６を１６Ｄとしてこれらを区別する。
【００４２】
また、用紙ＰがＬ判サイズである時に使用されるホッパ１６Ｂは、図９に示すように、上記用紙Ｐが４×６インチサイズである時に使用されるホッパ１６Ａよりも幾分幅狭で、ホッパ１６Ｂの揺動基端部４９寄りの位置には用紙Ｐの後端縁を保持するエッジガイド１５Ｃを受け入れるスリット状の窓部８１が形成されている。
【００４３】
また、用紙Ｐがカードサイズである時に使用されるホッパ１６Ｃは、図１１に示すように、上記用紙ＰがＬ判サイズである時に使用されるホッパ１６Ｂよりもホッパ１６Ｃの揺動自由端７４からホッパ１６Ｃの全長の５分の３程度の部分が更に幅狭になっていて、窓部８１の位置が上記ホッパ１６Ｂの位置よりも更に揺動自由端７４寄りの揺動基端部４９からホッパ１６Ｃの全長の５分の２程度の位置に形成されている。
【００４４】
また、用紙Ｐが葉書サイズである時に使用されるホッパ１６Ｄは、図１４に示すように、上記用紙Ｐが４×６インチサイズである時に使用されるホッパ１６Ａにおいて、揺動基端部４９の中央部に上記用紙Ｐの後端縁を保持するエッジガイド１５Ｃを受け入れる矩形状の切欠き部８２が形成されている。
【００４５】
シャッタ４２は、図２乃至図５に示したように、左側板５８、右側板５９及び覆板６５とによって構成される門型の断面形状を有する部材である。シャッタ４２は、前記カセット本体３８側のガイド片６２と、当該シャッタ４２側の弾性作用片６６とが当接することによって生ずる付勢力を受けて、常時は図３、図５に示すように、カセット本体３８の開口部４１を閉鎖する閉鎖方向Ａの端部に位置している。そして、給送用カセット１が記録装置の自動給送ユニット２における前記カセットガイド３７の内側面に装着される際に、シャッタ４２の一部が係止して前記付勢力に抗して開口部４１を拡開する拡開方向Ｂに移動する。すなわち、シャッタ４２は係合溝６０によって係合ピン５６が案内されることによって、幾分上昇しながら図２、図４に示す拡開方向Ｂの端部に向けて移動する。
【００４６】
尚、本実施例では、覆板６５の前端縁の中央には矩形状に切り欠かれた切欠き部７８が設けられている。そして、この切欠き部７８内に給送用ローラ１４が進入することでホッパ１６によって先端が押し上げられた用紙Ｐの最上面に給送用ローラ１４が当接できるようになっている。
【００４７】
このように本実施例では、エッジガイド１５がカセット本体３８の上面４０の内壁面から下方に向けて突設されていることにより、従来、上蓋の内壁面とエッジガイドの上端面との間に存在していた隙間は存在せず、ホッパ１６が上昇端に達した場合でも用紙Ｐの姿勢の安定性が保たれている。また、用紙Ｐのサイズに対応したエッジガイド１５の配置と、ホッパ１６の形状を採用することにより、ユーザによるエッジガイド１５の位置調整のバラ付きが防止され、給送時の用紙Ｐのスキュー等が防止される。
【００４８】
［他の実施例］
本願発明に係る給送用カセット１及び該給送用カセット１を備えた記録装置１００等は、以上述べたような構成を基本とするものであるが、本願発明の要旨を逸脱しない範囲内の部分的構成の変更や省略等を行なうことも勿論可能である。例えば、被記録媒体Ｐの形状やサイズの違いによってエッジガイド１５の長さ、形状、配置及び個数を適宜変更することが可能である。また、カセット本体３８の大きさは最大用紙サイズ、例えば４×６インチサイズに設定しておき、当該カセット本体３８に対して取り付ける別途のアタッチメントを付け替えることによって種々の用紙サイズに対応できるようにすることも可能である。
【図面の簡単な説明】
【００４９】
【図１】インクジェットプリンタの外観を示す斜視図。
【図２】シャッタ拡開時の給送用カセットを示す斜視図。
【図３】シャッタ閉鎖時の給送用カセットを示す斜視図。
【図４】ホッパ上昇時の給送用カセットを示す側断面図。
【図５】ホッパ下降時の給送用カセットを示す側断面図。
【図６】４×６インチサイズ用のカセット本体を示す斜視図。
【図７】同上、ホッパを取り付けた状態の斜視図。
【図８】Ｌ判サイズ用のカセット本体を示す斜視図。
【図９】同上、ホッパを取り付けた状態の斜視図。
【図１０】カードサイズ用のカセット本体を示す斜視図。
【図１１】同上、ホッパを取り付けた状態の斜視図。
【図１２】同上、シャッタを取り付けた給送用カセットを示す側断面図。
【図１３】葉書サイズ用のカセット本体を示す斜視図。
【図１４】同上、ホッパを取り付けた状態の斜視図。
【符号の説明】
【００５０】
１  給送用カセット、２  自動給送ユニット、３  プリンタ本体（記録装置本体）、５  上部開口、７  戻しレバー、１４  給送用ローラ、１５  エッジガイド、１５Ａ  エッジガイド、１５Ｂ  エッジガイド、１５Ｃ  エッジガイド、１６  ホッパ、１６Ａ  ホッパ、１６Ｂ  ホッパ、１６Ｃ  ホッパ、１６Ｄ  ホッパ、１８  回転軸、３１  モータ、３２  歯車列、３３  ユニットホルダ、３５  ホッパ作動カム、３７  カセットガイド、３８  カセット本体、３９  前端面、４０  上面、４１  開口部、４２  シャッタ、４３  後端面、４４  左側面、４５  右側面、４６  底面、４７  揺動穴、４９  揺動基端部、５０  揺動軸、５２  弾性舌片、５４  係合突起、５６  係合ピン、５８  左側板、５９  右側板、６０  係合溝、６２  ガイド片、６４  案内頭部、６５  覆板、６６  弾性作用片、６９  ガイドリブ、７０  窓部、７４  揺動自由端、７５  開口、７８  切欠き部、７９  係止爪、８１  窓部、８２  切欠き部、１００  インクジェットプリンタ（記録装置）、Ｐ  用紙（被記録媒体）、Ａ  閉鎖方向、Ｂ  拡開方向、θ  揺動角度
【図１】
2008087931.tif 000003
【図２】
2008087931.tif 000004
【図３】
2008087931.tif 000005
【図４】
2008087931.tif 000006
【図５】
2008087931.tif 000007
【図６】
2008087931.tif 000008
【図７】
2008087931.tif 000009
【図８】
2008087931.tif 000010
【図９】
2008087931.tif 000011
【図１０】
2008087931.tif 000012
【図１１】
2008087931.tif 000013
【図１２】
2008087931.tif 000014
【図１３】
2008087931.tif 000015
【図１４】
2008087931.tif 000016